(57)【要約】【課題】  本考案は特定ペットのみ２４時間、通過させることができるペット用自動ロック機能付きドアを提供する。【解決手段】  住居にペット用ロック付きドアを設け、ペットの首輪に反射板を付けた特定ペットがドアに近付くと赤外線又は、電波等の反射で検出しロックが解除され、ペットが通過したら任意の時間設定内にロックする機構を設け、ドアの中立性を保持するたに、押しドア部の側面に楕円形テーパーを設け、ロックピンを結合する機能を備えたことを特徴とする。【選択図】図２
0003141059.tif 000002
【実用新案登録請求の範囲】
【請求項１】
ペット用ロック付きドア本体に自動遠隔操作機能を設け、ペットにあらゆる電波および音波（超音波を含む）、または、赤外線を反射させる反射機能を備えた首輪を付けた特定ペットが近付くと、自動遠隔操作で検出し、ドアの解除、ロックを有することを特徴とし、各種遠隔手段を無指向性で使用可能としているペット用自動ロック付きドア装置。
【請求項２】
請求項１の出入りを検出する無線手段は、微弱電波伝送手段、赤外線伝送手段、超音波伝送手段、電磁誘導波手段など使用を可能にしているペット用自動ロック付き装置。
【請求項３】
請求項１のドア部側面に楕円形テーパー係合溝を設け、テーパー付きロックピンを結合させ中立性を保つ機能を有することを特徴とするペット用自動ロック付きドア。
【請求項４】
前記ドア部を二重構造にして騒音低減を有し、ペット用首輪の反射板は負荷がなく無電源機構を有することを特徴とするペット用自動ロック付きドア。
【考案の詳細な説明】
【技術分野】
【０００１】  本考案は、自動ロックドアに関し、特定ペットが自由に出入りするためのペット用自動ロック付きドアに関する。
【背景技術】
【０００２】  屋内で飼われている犬や猫などの特定ペットが、２４時間自由に出入りできる出入り口を設けたペット用ロック付きドアに関する。
【考案の開示】
【考案が解決しようとする課題】
【０００３】  本考案はペットの意思行為でドアを押し開け、通過後直ちに自動的にロック機能が作動しロックされる。また、室内に入ってくる行為は、上記行為で同機能を可能にしている。【０００４】  実生活に於いても建具の関係上、隙間風や騒音など課題が生じるように、ペット用ドアでも同様にと考えられる。本考案は形成部材からなり安価で、上記の問題を解決している。【０００５】  あらゆる住居の金属性ドア、木製ドア、引き戸（スライドサッシ）、壁などに取り付けが可能な構造を有し、防風雨性、防犯性など満たす構造を可能にした特徴を有している。
【課題を解決するための手段】
【０００６】  上述した課題を解決するために本考案は、住居にペット用ドアに自動ロック機構を設けてペットの意思で自由に出入りができ、通過後は任意の設定時間で、ロックされる機構を有している。【０００７】  電波、赤外線等の欠点である指向性は、ペットの首輪に電波等を反射させる反射板を設けることで解決している。【０００８】  ペット用ドア本体に組み込んだロック機構は、風雨等でドアの閉まりに対して中立性の復元が無くても、本考案のロックピンの結合部を楕円形テーパー係合溝にすることで、中立性機能を可能にした特徴を有している。【０００９】  本考案は形成部材からなり、引き戸（スライドサッシ）、壁、金属製ドアなどに安価で容易に取り付けを可能にした特徴を有している。
【考案の効果】
【００１０】  室内で飼われている犬や猫などのペットは，排泄や運動および散歩等で２４時間中に何度か屋外に出す必要性と、その都度ドアの開閉があり、その煩わしさを解決し、防風雨、埃等を防止できると共に、特定のペットのみ通過させ野良猫など、他の、動物の潜入を阻止することを可能にしている。また、第三者の侵入することを困難にすることができ、防犯性も可能にした装置である。【００１１】  従来の形態はペットの首輪に永久磁石を取り付けることで、砂鉄やゴミなどが付き磁力が低下し、上手く作動しないことなどがある。また、首輪に取り付けた送信機の電池交換の忘れなどの煩わしさや、電波、赤外線等の欠点である指向性で誤動作など生じたが、本考案は上記の問題を解決している。【００１２】  送受信部本体にメカニック機構一体装置を組み込んだペット用ドアと、ペットの反射板付き首輪で構成され、住居のベランダ用引き戸、或いは出入り口ドアおよび壁などに取り付ける形態で使用を可能にしている。
【考案を実施するための最良の形態】
【００１３】  本考案の一実施形態によるペット用自動ロック付きドアの図面を参照して説明する。【００１４】図１は本考案の一実施形態によるペット用自動ロック付きドアの構成を示す図面である。図１を用いて説明する。このペット用自動ロック付きドアは、住居のベランダ用引き戸７ａ，７ｂに設けており、特定ペットが押しドア部材３ａ，３ｂ，３ｃの所定距離内に接近した場合に特定ペットのみが検出され、ロックが解除され通過が可能となる。【００１５】  図２を用いて説明する。解除されたドア部材３ｂ，３ｃに特定ペットが頭部等で押しドアを押し開ける動作図である。【００１６】  図３、図４を用いて説明する。住居およびマンション等の通用ドア図３や、壁図４に取り付けた状態を示す。また、ベランダ等のサッシ８と引き戸７ａ、のあいだにペット用パネル１を取り付ける形態で使用される。引き戸７ｂは普通に開閉が可能である。【００１７】  図５を用いて説明する。前述のペット用ドア部本体に送受信部本体２６ａ、２６ｂおよびロック部が一体にくみこまれたペット用ドア装置の断面図である。中立用コイルスプリング２２を回転軸受け部２０に固定し、ドア部本体３ａ，３ｂ，３ｃの中立性を可能にしている。また、小型のペットでも押し開けが可能な強弱の調整機構を設けている。【００１８】  前記ドア部本体のＡ−Ａ線断面図５の係合溝２５は、ドアの中立性がずれても、楕円形テーパー係合溝２５を設け、テーパーロックピンを容易に結合できる機構を可能にしている。【００１９】  前記断面図５の押しドア部３ａ，に３ｂおよび３ｃが挟む二重構造からなり、３ｂ，３ｃの内部の周囲に弾性材２４ａ，２４ｂを取り付けることで、風雨、埃などを防ぐ機能を有している。
【実施例】
【００２０】  図１は、ペット用ドアの正面図を示し、住居の引き戸に取り付けたペット用ドアに、ペットが首輪に取り付けた反射板で電波等が反射し、特定ペットであることを検証しドアロックが解除され、通過後、直にロックされる。【００２１】  図２は、首輪に反射板を取り付けた特定ペットが通過しようとする動作図で、ペットが頭部等で直接ドア部材を押し開通過する。また、屋内に戻ってくるときは、逆の行為でこの機能を有している。
【産業上の利用可能性】
【００２２】  本考案はペット用の出入りドアに関し、特定のペットのみ屋外と屋内を２４時間、自由に出入りが出来る装置で、形成部材からなり安価を可能とし、家庭向けの設備として利用することができる。
【図面の簡単な説明】
【００２３】
【図１】本考案の一実施形態による正面図である。
【図２】本考案の一実施形態によるペットの行動を示す正面図である。
【図３】本考案の他の一実施例を示す正面図である。
【図４】本考案の他の一実施例を示す斜視図である。
【図５】ペット用自動ロック付きドア部分のＡ−Ａ線断面図である。
【符号の説明】
【００２４】  １                  ペット用ドアパネル本体
２                  押しドア部のパネル
３ａ                押しドア部本体
３ｂ，３ｃ          押しドア部材
４                  高さ調整部材
５                  強化プラスチック部材
６                  反射部材付き首輪
７ａ，７ｂ          引き戸
８                  住居用サッシ
ＳＷ                住居用押しドア
２０                回転軸受け部
２１                中立用支
２２                中立用巻きばね（コイルスプリング）
２３ａ，２３ｂ      弾性部材
２４ａ，２４ｂ      弾性部材
２５                中立用楕円形係合溝
２６ａ，２６ｂ      送受信機用本体
【図１】
0003141059.tif 000003
【図２】
0003141059.tif 000004
【図３】
0003141059.tif 000005
【図４】
0003141059.tif 000006
【図５】
0003141059.tif 000007
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
ペットの出入り口に吊り下げられて、常時はロックされた押しドア部材と、前記ペット出入り口側に設けられて、ペットが所定距離内に接近したことを検知する送受信機用本体及び、前記押しドア部材のロックを解除する自動ロック機構と、ペット側に取り付けられて、前記送受信機本体からの電波等を反射させて、前記押しドア部材のロックを解除する反射部材付き首輪と、からなることを特徴とするペット用自動ロック付きドア装置。
【請求項２】
ペットの通過に伴う前記自動ロック機構による前記押しドア部材のロックの解除が任意の設定時間で自動的にロックされることを特徴とする請求項１に記載のペット用自動ロック付きドア装置。
【請求項３】
前記自動ロック機構が前記押しドア部材の側面に設けられた楕円形テーパー係合溝と、前記ペットの出入り口側に設けられて、前記楕円形テーパー係合溝に係合するテーパー付きロックピンからなることを特徴とする請求項１又は２に記載のペット用自動ロック付きドア装置。
【請求項４】
前記押しドア部材を二重構造としたことを特徴とする請求項１，２又は３に記載のペット用自動ロック付きドア装置。